【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
サービス完了状況を表示するための情報処理方法であって：
サービス操作インターフェース内の第１のタイプのサービス項目の数に基づき、サービス項目の総数を特定するステップ（Ｓ１）と；
ユーザによって記入された前記サービス操作インターフェース内の第２のタイプのサービス項目の数を検出して、記入されたサービス項目の数を特定するステップ（Ｓ２）と；
特定された前記サービス項目の総数と特定された前記記入されたサービス項目の数とを示す計数ユニットを前記サービス操作インターフェース内の所定位置に表示するステップ（Ｓ３）と；
前記計数ユニットによって現在表示されているサービス項目完了情報に基づき、前記サービス操作インターフェース内の指定された操作ボタンの操作状況を特定するステップ（Ｓ４）であって、前記計数ユニットの特定された前記記入されたサービス項目の数が所定のサービス完了進捗要件を満たしている場合には、前記サービス操作インターフェース内の前記指定された操作ボタンをアクティブにする、ステップと；を備える、
情報処理方法。
【請求項２】
特定された前記サービス項目の総数と特定された前記記入されたサービス項目の数とを示す計数ユニットを、前記サービス操作インターフェース内の所定位置に表示するステップは：
特定された前記サービス項目の総数と特定された前記記入されたサービス項目の数とを示す前記計数ユニットを、前記サービス操作インターフェース内の指定された操作ボタン上に配置するステップを備える、
請求項１に記載の情報処理方法。
【請求項３】
前記指定された操作ボタンの属性情報である、透明度、色相、明度、純度、サイズ、及び形状のうちの少なくとも１つを取得するステップと；
記入されたサービス項目の数と所定の属性値変更規則とに基づき、前記属性情報の値を変えるステップと；を更に備える、
請求項１に記載の情報処理方法。
【請求項４】
前記属性情報が透明度であり、
これに応じ、前記計数ユニットの記入されたサービス項目の数が最小値から最大値へ変化するのに伴い、前記指定された操作ボタンの透明度が第１の透明度値から第２の透明度値へ変化する、
請求項３に記載の情報処理方法。
【請求項５】
前記第１のタイプのサービス項目が前記サービス操作インターフェース内の全てのサービス項目であり、前記第２のタイプのサービス項目も前記サービス操作インターフェース内の全てのサービス項目であり；
前記計数ユニットによって現在表示されているサービス項目完了情報に基づき、前記サービス操作インターフェース内の指定された操作ボタンの操作状況を特定するステップが、
前記計数ユニットの記入されたサービス項目の数が記入されたサービス項目の所定の最小閾値以上である場合に、前記サービス操作インターフェース内の前記指定された操作ボタンがアクティブにされるステップを備える、
請求項１に記載の情報処理方法。
【請求項６】
前記第１のタイプのサービス項目が前記サービス操作インターフェース内の全てのサービス項目であり、前記第２のタイプのサービス項目が全てのサービス項目のうちの必須サービス項目であり；
前記サービス操作インターフェース内の記入されたサービス項目の数が必須サービス項目の総数に達すると、前記サービス操作インターフェース内の前記指定された操作ボタンがアクティブにされる、
請求項１又は請求項５に記載の情報処理方法。
【請求項７】
前記第１のタイプのサービス項目が全てのサービス項目のうちの必須サービス項目であり、前記第２のタイプのサービス項目も全てのサービス項目のうちの必須サービス項目であり；
前記サービス操作インターフェース内の記入されたサービス項目の数が必須サービス項目の総数に達すると、前記サービス操作インターフェース内の前記指定された操作ボタンがアクティブにされる、
請求項１、請求項５及び請求項６のいずれか１項に記載の情報処理方法。
【請求項８】
前記指定された操作ボタンをクリックすることにより前記ユーザによって送信されたサービス項目データを検証するステップ（Ｓ１１）と；
送信されたサービス項目のうちの必須項目が操作要件を満たしていないことを検証結果が示す場合、前記操作要件を満たしていない必須項目の数を前記計数ユニットの記入されたサービス項目の数から減算し、前記指定された操作ボタンを無効にするステップ（Ｓ１２）と；を更に備える、
請求項１に記載の情報処理方法。
【請求項９】
前記操作要件を満たしていない前記必須項目を前記ユーザが修正した後、前記ユーザによって送信されたデータを検証するステップ（Ｓ１３）と；
少なくとも１つの修正された必須項目が前記操作要件を満たしていることを検証結果が示す場合、前記操作要件を満たしている必須項目の数を計数し、前記計数ユニットの記入されたサービス項目の数を、前記操作要件を満たしている必須項目の数に設定するステップと；
必須項目全てが前記操作要件を満たしている場合、前記指定された操作ボタンを再度アクティブにするステップ（Ｓ１４）と；を更に備える、
請求項８に記載の情報処理方法。
【請求項１０】
サービス完了状況を表示するための情報処理装置であって、請求項１乃至請求項９のいずれか１項に記載の方法に従う動作を実行するように構成された複数のユニットを備える、
情報処理装置。
【手続補正２】
【補正対象書類名】明細書
【補正対象項目名】００７２
【補正方法】変更
【補正の内容】
【００７２】
本願は実施を用いて説明するが、当業者が理解するように、本願の主旨から逸脱することなく多くの変形及び変更を本願に加えることが可能である。特許請求の範囲は、本願の主旨から逸脱することのないこれらの変形及び変更を包含するものである。
以下、本発明の実施の態様の例を列挙する。
［第１の局面］
サービス完了状況を表示するための情報処理方法であって：
サービス操作インターフェース内の第１のタイプのサービス項目の数に基づき、サービス項目の総数を特定するステップと；
ユーザによって記入された前記サービス操作インターフェース内の第２のタイプのサービス項目の数を検出して、記入されたサービス項目の数を特定するステップと；
サービス項目の総数と記入されたサービス項目の数とを示す計数ユニットを前記サービス操作インターフェース内の所定位置に表示するステップと；
前記計数ユニットによって現在表示されているサービス項目完了情報に基づき、前記サービス操作インターフェース内の指定された操作ボタンの操作状況を特定するステップと；を備える、
サービス完了状況を表示するための情報処理方法。
［第２の局面］
前記計数ユニットによって現在表示されているサービス項目完了情報に基づき、前記サービス操作インターフェース内の指定された操作ボタンの操作状況を特定する前記ステップは：
前記計数ユニットの記入されたサービス項目の数が所定のサービス完了進捗要件を満たしている場合、前記サービス操作インターフェース内の前記指定された操作ボタンをアクティブにするステップを備える、
第１の局面に記載の報処理方法。
［第３の局面］
サービス項目の総数と記入されたサービス項目の数とを示す計数ユニットを、前記サービス操作インターフェース内の所定位置に表示する前記ステップは：
サービス項目の総数と記入されたサービス項目の数とを示す前記計数ユニットを、前記サービス操作インターフェース内の指定された操作ボタン上に配置するステップを備える、
第１の局面に記載の情報処理方法。
［第４の局面］
前記指定された操作ボタンの属性情報である、透明度、色相、明度、純度、サイズ、及び形状のうちの少なくとも１つを取得するステップと；
記入されたサービス項目の数と所定の属性値変更規則とに基づき、前記属性情報の値を変えるステップと；を更に備える、
第１の局面に記載の情報処理方法。
［第５の局面］
前記属性情報が透明度であり、
これに応じ、前記計数ユニットの記入されたサービス項目の数が最小値から最大値へ変化するのに伴い、前記指定された操作ボタンの透明度が第１の透明度値から第２の透明度値へ変化する、
第４の局面に記載の情報処理方法。
［第６の局面］
前記第１のタイプのサービス項目と前記第２のタイプのサービス項目とが：
前記第１のタイプのサービス項目が前記サービス操作インターフェース内の全てのサービス項目であり、前記第２のタイプのサービス項目も前記サービス操作インターフェース内の全てのサービス項目であり；これに応じ、前記計数ユニットによって現在表示されているサービス項目完了情報に基づき、前記サービス操作インターフェース内の指定された操作ボタンの操作状況を特定する前記ステップが、前記計数ユニットの記入されたサービス項目の数が記入されたサービス項目の所定の最小閾値以上である場合に、前記サービス操作インターフェース内の前記指定された操作ボタンがアクティブにされる方法；
前記第１のタイプのサービス項目が前記サービス操作インターフェース内の全てのサービス項目であり、前記第２のタイプのサービス項目が全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；及び、
前記第１のタイプのサービス項目が全てのサービス項目のうちの必須サービス項目であり、前記第２のタイプのサービス項目も全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；のいずれか１つを用いて設定される、
第１の局面に記載の情報処理方法。
［第７の局面］
前記指定された操作ボタンをクリックすることにより前記ユーザによって送信されたサービス項目データを検証するステップと；
送信されたサービス項目のうちの必須項目が操作要件を満たしていないことを検証結果が示す場合、前記操作要件を満たしていない必須項目の数を前記計数ユニットの記入されたサービス項目の数から減算し、前記指定された操作ボタンを無効にするステップと；を更に備える、
第１の局面に記載の情報処理方法。
［第８の局面］
前記操作要件を満たしていない前記必須項目を前記ユーザが修正した後、前記ユーザによって送信されたデータを検証するステップと；
少なくとも１つの修正された必須項目が前記操作要件を満たしていることを検証結果が示す場合、前記操作要件を満たしている必須項目の数を計数し、前記計数ユニットの記入されたサービス項目の数を、前記操作要件を満たしている必須項目の数に設定するステップと；
必須項目全てが前記操作要件を満たしている場合、前記指定された操作ボタンを再度アクティブにするステップと；を更に備える、
第７の局面に記載の情報処理方法。
［第９の局面］
サービス完了状況を表示するための情報処理デバイスであって：
サービス操作インターフェース内の第１のタイプのサービス項目の数に基づき、サービス項目の総数を特定するように構成されたサービス項目総数特定ユニットと；
ユーザによって記入された前記サービス操作インターフェース内の第２のタイプのサービス項目の数を検出して、記入されたサービス項目の数を特定するように構成された記入済サービス項目数特定ユニットと；
サービス項目の総数と記入されたサービス項目の数とを計数し、前記サービス操作インターフェース内の所定位置に表示するように構成された計数及び表示ユニットと；
前記計数ユニットによって現在表示されているサービス項目完了情報に基づき、前記サービス操作インターフェース内の指定された操作ボタンの操作状況を特定するように構成された操作状況設定ユニットと；を備える、
サービス完了状況を表示するための情報処理デバイス。
［第１０の局面］
前記操作状況設定ユニットが、前記計数ユニットによって現在表示されているサービス項目完了情報に基づき、前記サービス操作インターフェース内の指定された操作ボタンの操作状況を特定することが：
前記記入済サービス項目数特定ユニットにおける記入されたサービス項目の数が所定のサービス完了進捗要件を満たしている場合、アクティブ状態設定ユニットにより、前記サービス操作インターフェース内の前記指定された操作ボタンをアクティブにするステップを備える、
第９の局面に記載の情報処理デバイス。
［第１１の局面］
前記計数及び表示ユニットは：
サービス項目の総数と記入されたサービス項目の数とを示す前記計数ユニットを、前記サービス操作インターフェース内の指定された操作ボタン上に配置するように構成されたボタン配置ユニットを備える、
第９の局面に記載の情報処理デバイス。
［第１２の局面］
前記指定された操作ボタンの属性情報である透明度、色相、明度、純度、サイズ、及び形状のうちの少なくとも１つを取得するように構成された属性情報取得ユニットと：
記入されたサービス項目の数と所定の属性値変更規則とに基づき、前記属性情報の値を変えるように構成された属性値変更ユニットと；を更に備える、
第９の局面に記載の情報処理デバイス。
［第１３の局面］
前記属性情報が透明度であり、
これに応じ、前記属性値変更ユニットが記入されたサービス項目の数と所定の属性値変更規則とに基づき前記属性情報の値を変更することが：
前記計数ユニットの記入されたサービス項目の数が最小値から最大値へ変化するのに伴い、前記属性値変更ユニットにより、前記指定された操作ボタンの透明度を第１の透明度値から第２の透明度値へと変化するステップを備える、
第１２の局面に記載の情報処理デバイス。
［第１４の局面］
前記第１のタイプのサービス項目と前記第２のタイプのサービス項目とが：
前記第１のタイプのサービス項目が前記サービス操作インターフェース内の全てのサービス項目であり、前記第２のタイプのサービス項目も前記サービス操作インターフェース内の全てのサービス項目であり；これに応じ、前記計数ユニットによって現在表示されているサービス項目完了情報に基づき、前記サービス操作インターフェース内の指定された操作ボタンの操作状況を特定する前記ステップが、前記計数ユニットの記入されたサービス項目の数が記入されたサービス項目の所定の最小閾値以上である場合、前記サービス操作インターフェース内の前記指定された操作ボタンがアクティブにされる方法；
前記第１のタイプのサービス項目が前記サービス操作インターフェース内の全てのサービス項目であり、前記第２のタイプのサービス項目が全てのサービス項目のうちの必須サービス項目であり；これに応じ、前記サービス操作インターフェース内の記入されたサービス項目の数が必須サービス項目の総数に到達すると、前記サービス操作インターフェース内の前記指定された操作ボタンがアクティブにされる方法；及び
前記第１のタイプのサービス項目が全てのサービス項目のうちの必須サービス項目であり、前記第２のタイプのサービス項目も全てのサービス項目のうちの必須サービス項目であり；これに応じ、前記サービス操作インターフェース内の記入されたサービス項目の数が必須サービス項目の総数に達すると、前記サービス操作インターフェース内の前記指定された操作ボタンがアクティブにされる方法；のいずれか１つを用いて設定される、
第９の局面に記載の情報処理デバイス。
［第１５の局面］
前記指定された操作ボタンをクリックすることにより前記ユーザによって送信されたサービス項目データを検証するように構成された第１の検証ユニットと；
送信されたサービス項目のうちの必須項目が操作要件を満たしていないことを検証結果が示す場合、前記操作要件を満たしていない必須項目の数を前記計数ユニットの記入されたサービス項目の数から減算し、前記指定された操作ボタンを無効にするように構成されたボタン無効化ユニットと；を更に備える、
第９の局面に記載の情報処理デバイス。
［第１６の局面］
前記操作要件を満たしていない前記必須項目を前記ユーザが修正した後、前記ユーザによって送信されたデータを検証するように構成された第２の検証ユニットと；
少なくとも１つの修正された必須項目が前記操作要件を満たしていることを前記第２の検証ユニットによって取得された検証結果が示す場合、前記操作要件を満たしている必須項目の数を計数し、前記計数ユニットの記入されたサービス項目の数を、前記操作要件を満たしている必須項目の数に設定するように構成された修正・設定ユニットと；
必須項目全てが前記操作要件を満たしている場合、前記指定された操作ボタンを再度アクティブにするように構成された再アクティブ化ユニットと；を更に備える、
第１５の局面に記載の情報処理デバイス。